(57)【要約】【課題】浴室に洋式トイレが備え付けられていて洗い場の床面積が小さくても、便座に当接又は近接する倒し位置の座部に被介助者を腰掛けさせて、脱衣、洗身及び着衣の介助を窮屈感なく楽に行えるようにする。また、座部１１を起こし位置にすれば、被介助者Ｈが便座に座って用を足すことができる。【解決手段】浴室内介助用チェア１は、座部１１を含むチェア本体１０と、チェア本体１０を支えるための支持体（２）と、チェア本体１０を、座部１１が浴室内に備え付けられた洋式トイレ１５の便座１６に当接又は近接する倒し位置と、便座１６が着座可能に露出するように座部１１が上がった起こし位置とに回動させられるように、支持体に回動可能に取り付けた軸着部材７とを備える。【選択図】図１
2019058359.tif 000002
【特許請求の範囲】
【請求項１】
座部を含むチェア本体と、
チェア本体を支えるための支持体と、
チェア本体を、座部が浴室内に備え付けられた洋式トイレの便座に当接又は近接する倒し位置と、便座が着座可能に露出するように座部が上がった起こし位置とに回動させられるように、支持体に回動可能に取り付けた軸着部材とを備えることを特徴とする浴室内介助用チェア。
【請求項２】
支持体は、洋式トイレを跨ぐように床に設置される左右の脚フレーム部と、左右の脚フレーム部の上端部から上方へ延びる背フレーム部とを含むフレーム体である請求項１記載の浴室内介助用チェア。
【請求項３】
支持体は、洋式トイレ自体である請求項１記載の浴室内介助用チェア。
【請求項４】
チェア本体は、背当部も備える請求項１〜３のいずれか一項に記載の記載の浴室内介助用チェア。
【請求項５】
座部の中央部に、介助者の手を入れるための下へ凹んだ凹所が形成されている請求項１〜４のいずれか一項に記載の浴室内介助用チェア。
【請求項６】
座部の中央部に、水を落とすための水抜き孔が形成されている請求項１〜５のいずれか一項に記載の浴室内介助用チェア。
【発明の詳細な説明】
【技術分野】
【０００１】
本発明は、浴室内で被介助者の脱衣、洗身及び着衣を介助するために用いる浴室内介助用チェアに関するものである。
【背景技術】
【０００２】
浴室は浴槽と洗い場とからなる。浴室の洗い場は、近年広く普及したユニットバスの多くがそうであるように、健常者にとっては十分な床面積であっても、被介助者にとっては不十分な床面積であることが多い。被介助者の脱衣、洗身及び着衣を浴室内で介助するには、洗い場に、脱衣、洗身及び着衣のための大きめの椅子を置いたりマットを敷いたりする必要があり、また、リフト装置を動かすスペースや、介助者のためのスペースも必要だからである。
【０００３】
さらに、浴室内に洋式トイレが備え付けられた場合には、洗い場のスペースはさらに減少する。
【０００４】
特許文献１には、浴槽と腰掛便器との間に腰掛カウンターを設け、腰掛カウンターを、腰掛け又は横臥しての休息に、或は横臥させて洗身の介助に使用することが記載されている。
【０００５】
特許文献２には、浴槽と便器の間に架け渡される移乗台を設け、高齢者がこの移乗台に一度腰掛け、手で身体を支えながら脚を浴槽に入れ、入浴することが記載されている。
【先行技術文献】
【特許文献】
【０００６】
【特許文献１】特開平５−３１７１９８号公報
【特許文献２】特開平７−２３４１６６号公報
【発明の概要】
【発明が解決しようとする課題】
【０００７】
しかし、特許文献１，２でも、腰掛カウンターや移乗台が、浴室のスペースを減少させることに変わりはない。
【０００８】
そこで、本発明の目的は、浴室に洋式トイレ（洋式便器）が備え付けられていて洗い場の床面積が小さくても、洋式トイレの便座に当接又は近接する倒し位置の座部に被介助者を腰掛けさせて、脱衣、洗身及び着衣の介助を窮屈感なく楽に行うことができ、また、座部を起こし位置にすれば、被介助者が便座に座って用を足すことができる、新規な浴室内介助用チェアを提供することにある。
【課題を解決するための手段】
【０００９】
本発明の浴室内介助用チェアは、
座部を含むチェア本体と、
チェア本体を支えるための支持体と、
チェア本体を、座部が浴室内に備え付けられた洋式トイレの便座に当接又は近接する倒し位置と、便座が着座可能に露出するように座部が上がった起こし位置とに回動させられるように、支持体に回動可能に取り付けた軸着部材とを備えることを特徴とする。
【００１０】
一般の洋式トイレにおいては、便座より上に開閉蓋があり、この開閉蓋は洋式トイレ本体に回動可能に軸着されている。本発明の浴室内介助用チェアを用いる際、この開閉蓋は取り外すことが好ましい。
【００１１】
ここで、支持体は、洋式トイレを跨ぐように床に設置される左右の脚フレーム部と、左右の脚フレーム部の上端部から上方へ延びる背フレーム部とを含むフレーム体である態様を例示できる。
【００１２】
また、支持体は、洋式トイレ自体である態様を例示できる。この態様は、例えば、上述したように洋式トイレ本体から取り外した開閉蓋の軸着部をチェア本体の軸着部として利用することにより、チェア本体を支持体としての洋式トイレの基体に回動可能に取り付けた態様を含む。
【００１３】
チェア本体は、背当部も備えることが好ましい。
【００１４】
座部の中央部に、介助者の手を入れるための下へ凹んだ凹所が形成されていることが好ましい。
【００１５】
座部の中央部に、水を抜き落とすための水抜き孔が貫設されていることが好ましい。凹所が形成されている場合には、凹所の底に水抜き孔が貫設されていることが好ましい。
【発明の効果】
【００１６】
本発明によれば、浴室に洋式トイレが備え付けられていて洗い場の床面積が小さくても、洋式トイレの便座に当接又は近接する倒し位置の座部に被介助者を腰掛けさせて、脱衣、洗身及び着衣の介助を窮屈感なく楽に行うことができ、また、座部を起こし位置にすれば、被介助者が便座に座って用を足すことができる。
【図面の簡単な説明】
【００１７】
【図１】実施例１の浴室内介助用チェア（倒し位置）の側面図である。
【図２】同浴室内介助用チェア（倒し位置）の、(ａ)は平面図、(ｂ)は正面図である。
【図３】同浴室内介助用チェア（起こし位置）の側面図である。
【図４】同浴室内介助用チェア（起こし位置）の、(ａ)は平面図、(ｂ)は正面図である。
【図５】実施例２の浴室内介助用チェア（倒し位置）の側面図である。
【図６】同浴室内介助用チェア（起こし位置）の側面図である。
【発明を実施するための形態】
【００１８】
１．チェア本体
チェア本体の材料としては、特に限定されないが、樹脂、アルミニウム合金、木等を例示できる。樹脂としては、特に限定されないが、耐衝撃性に優れるポリカーボネート、ポリ塩化ビニル等が好ましい。
【００１９】
座部の上面に、クッション材を取り付けることが好ましい。クッション材の材料としては、特に限定されないが、軟質樹脂、エラストマー、ゴム等を例示でき、それらのソリッド材でもフォーム材（発泡）でもよい。軟質樹脂としては、特に限定されないが、エチレン酢酸ビニル共重合体（ＥＶＡ）、ポリウレタン等を例示できる。
【００２０】
２．フレーム体
フレーム体の材料としては、特に限定されないが、金属、樹脂等を例示できる。金属としては、特に限定されないが、錆びにくいステンレス合金、アルミニウム合金等が好ましい。
【実施例１】
【００２１】
図１〜図４に示す実施例１の浴室内介助用チェア１について説明する。なお、本発明は実施例に限定されるものではなく、発明の趣旨を逸脱しない範囲で各部の形状、寸法、構成等を任意に変更して実施することもできる。
【００２２】
浴室内には、浴槽と洋式トイレ１５とが相互間隔をおいて備え付けられている。上記のように、洋式トイレ１５の開閉蓋（図示略）は取り外されている。
【００２３】
浴室内介助用チェア１は、支持体としてのフレーム体２と、チェア本体１０とを備えている。
【００２４】
フレーム体２は、浴室内に備え付けられた洋式トイレ１５を跨ぐように床に設置される左右の脚フレーム部３と、左右の脚フレーム部３の上端部から上方へ延びる背フレーム部６とを含む。各脚フレーム部３は、例えば、金属パイプ製の側面視倒立Ｕ字状のベース部４と、ベース部４の中央部から上方に延びる金属板製（板厚方向が左右方向であるため、左右のスペースをとらない。）の起立部５とからなる。背フレーム部６は、起立部５の上端部から後方へ延びてから上方へ延びる、金属パイプ製の正面視倒立Ｕ字状のものである。
【００２５】
チェア本体１０は、座部１１と背当部１２とを含む。座部１１と背当部１２とは、例えば、それらが一定角度をなして連続するように、樹脂により一体形成されている。座部１１の中央部に、介助者の手を入れるための下へ凹んだ凹所１３が形成されているので、被介助者の尻部を洗いやすい。また、凹所１３の底に水抜き孔１４が貫設されているので、座部１１からシャワー水が容易に抜ける。
【００２６】
軸着部材７は、チェア本体１０を、座部１１が洋式トイレ１５の便座１６に当接又は近接する倒し位置（図１及び図２）と、便座１６が着座可能に露出するように座部１１が上がった起こし位置（図３及び図４）とに回動させられるように、背当部１２の上部を背フレーム部６の上部に回動可能に取り付けたものである。
【００２７】
実施例１の浴室内介助用チェア１の使用方法の一例を説明する。
１．介助者は、着衣の被介助者Ｈ（図示略）を、車椅子（図示略）で浴室に入れる。
２．介助者は、着衣の被介助者Ｈを、浴槽と洋式トイレ１５との間に設けられたリフト装置（図示略）で、車椅子から吊り上げ、倒し位置（図１及び図２）の浴室内介助用チェア１に腰掛けさせて、脱衣を介助する。
３．介助者は、脱衣の被介助者Ｈを、リフト装置で、浴室内介助用チェア１から吊り上げ、浴槽内に降ろして、入浴を介助する。
４．介助者は、脱衣の被介助者Ｈを、リフト装置で、浴槽から吊り上げ、浴室内介助用チェア１に腰掛けさせて、シャワー等を用い洗身を介助する。
【００２８】
５．介助者は、脱衣の被介助者Ｈを、リフト装置で、浴室内介助用チェア１から吊り上げ、浴槽内に降ろして、入浴を介助する。また、浴室内介助用チェア１をシャワー等で洗う。
６．介助者は、脱衣の被介助者Ｈを、リフト装置で、浴槽から吊り上げ、その状態で身体を簡単に拭き、浴室内介助用チェア１に腰掛けさせて、身体を十分に拭き、着衣を介助する。
【００２９】
７．被介助者Ｈが洋式トイレ１５で用を足したいとき、介助者は、チェア本体１０を座部１１が上がった起こし位置（図３及び図４）に回動させ、着座可能に露出した便座１６に被介助者Ｈを座らせればよい。
８．介助者は、着衣の被介助者Ｈを、リフト装置で、浴室内介助用チェア１から吊り上げ、車椅子に腰掛けさせる。
９．介助者は、着衣の被介助者Ｈを、車椅子で浴室から出す。
【００３０】
実施例１の浴室内介助用チェア１によれば、浴室に洋式トイレ１５が備え付けられていて洗い場の床面積が小さくても、洋式トイレ１５の便座１６に当接又は近接する倒し位置の座部１１に被介助者Ｈを腰掛けさせて、脱衣、洗身及び着衣の介助を窮屈感なく楽に行うことができ、また、座部１１を起こし位置にすれば、被介助者Ｈが便座１６に座って用を足すことができる。
【実施例２】
【００３１】
図５及び図６に示す実施例２の浴室内介助用チェア１は、支持体が、前記フレーム体２ではなく、洋式トイレ１５自体である点において実施例１と相違し、その他は基本的に実施例１と共通である。
【００３２】
上記のように、洋式トイレ１５から取り外した開閉蓋の軸着部をチェア本体１０の軸着部材７として利用することにより、チェア本体１０を支持体としての洋式トイレ１５の基体１７に回動可能に取り付けている。
【００３３】
実施例２の浴室内介助用チェア１の使用方法と作用効果は、基本的に実施例１と同様である。さらに実施例２には、実施例１よりも構成が単純であるという利点がある。
【００３４】
なお、本発明は前記実施例に限定されるものではなく、発明の趣旨から逸脱しない範囲で適宜変更して具体化することができる。
【符号の説明】
【００３５】
１    浴室内介助用チェア
２    フレーム体
３    脚フレーム部
４    ベース部
５    起立部
６    背フレーム部
７    軸着部材
１０    チェア本体
１１    座部
１２    背当部
１３    凹所
１４    水抜き孔
１５    洋式トイレ
１６    便座
１７    基体
Ｈ    被介助者
【図１】
2019058359.tif 000003
【図２】
2019058359.tif 000004
【図３】
2019058359.tif 000005
【図４】
2019058359.tif 000006
【図５】
2019058359.tif 000007
【図６】
2019058359.tif 000008